(57)【要約】【課題】本発明は、従来とキャラクター数での情報量を増やして表示キャラクターを減少させて印字時間を削減するか、あるいは表示情報量を増加させてロットトレーサービリティを向上することを課題とする。【解決手段】製品本体１２にあらゆるキャラクターの少なくとも一部を特殊コード１５を用いて表示し、製品本体１２に情報をもたせることを特徴とする特殊コード１５が表示された半導体製品１１。【選択図】    図１
2004319639.tif 000002
【特許請求の範囲】
【請求項１】
製品本体にあらゆるキャラクターの少なくとも一部を特殊コードを用いて表示し、製品本体に情報をもたせることを特徴とする特殊コードが表示された半導体製品。
【請求項２】
前記キャラクターは、文字，数字，絵，図形，線，点，ロゴマーク，あるいは製造者により故意に加えられた製品本体への表面加工であることを特徴とする請求項１記載の特殊コードが表示された半導体製品。
【請求項３】
前記特殊コードとは、表示自体が意味を持つケース以外の、表示に特定の意味合いを持たせた全てのキャラクターを示すことを特徴とする請求項１もしくは請求項２に記載の特殊コードが表示された半導体製品。
【請求項４】
前記特殊コードは、印刷、インクマーク、レーザーマークのいずれかにより印字されることを特徴とする請求項１乃至３いずれか記載の特殊コードが表示された半導体製品。
【発明の詳細な説明】
【０００１】
【発明の属する技術分野】
本発明は、特殊コードが表示された半導体製品に関する。
【０００２】
【従来の技術】
従来、半導体製品は、ユーザー等にその製品に関する情報を伝達するため、製品表面に、社名（ロゴ）、品種名、製造年月日、製造場所、製品ロット、製品使用方向等を文字、記号、線、点、ロゴマーク等の何らかの印字（マーキング）をして出荷されていた。以下に、従来の表示情報手段について説明する。
【０００３】
図４は、従来のダイオード（半導体製品）１を示す。半導体製品１は、図４に示すように、製品本体２に、製品の方向性を示すカソードバンド３の他、「Ｇ」や「Ａ」の英文字４、「１」という数字５が表示されている。ここで、「Ａ」という英文字４は製造月で１月を示し、「Ｇ」という英文字４は汎用製品を示し、数字５は１番目の製品であることを示し、「Ｇ１」は製品名を示しているので、製品本体２表面の表示は、製品使用方向、製品名、製造月を示している。
【０００４】
しかしながら、最近、半導体製品は小型化の傾向にあるため、半導体製品に表示可能な文字数が少なくなると共に、識別が容易な記号、点、線等を使用する例が見受けられる。
【０００５】
一方、顧客サービスの観点から、より細かい製造情報の表示（ロットトレーサビリティの向上）が求められており、両立が難しかった。
【０００６】
【発明が解決しようとする課題】
本発明はこうした事情を考慮してなされたもので、製品本体にあらゆるキャラクターの少なくとも一部を特殊コードを用いて表示し、製品本体に情報をもたせることにより、１キャラクターに複数の情報をもたせることができるため、同キャラクター数での情報量が増え、これにより表示キャラクターを減少させて印字時間を削減できるか、あるいは表示情報量を増加させてロットトレーサービリティを向上できる特殊コードが表示された半導体製品を提供することを目的とする。
【０００７】
【課題を解決するための手段】
本発明に係る特殊コードが表示された半導体製品は、製品本体にあらゆるキャラクターの少なくとも一部を特殊コードを用いて表示し、製品本体に情報をもたせることを特徴とする。即ち、本発明においては、表示情報量増加の手段として、特殊コード（例えば、１叉は２次元バーコード，オリジナルコード）の導入が有効であるが、表示文字数の問題から、単純に特殊コードを追加することはスループットダウンにつながる。従って、従来から存在する記号・点・線等の一部を上記特殊コードとすることによって、表示を増やすことなく情報量の拡大を図るものである。
【０００８】
本発明において、前記キャラクターとしては、文字，数字，絵，図形，線，点，ロゴマーク，あるいは製造者により故意に加えられた製品本体への表面加工が挙げられる。ここで、キャラクターの製品への印字（マーキング）方法としては、従来から用いられている方法例えば印刷、インクマーク、レーザーマークが挙げられるが、これらに限定されるものではない。
【０００９】
本発明において、前記特殊コードとは、表示自体が意味を持つケース以外の、表示に特定の意味合いを持たせた全てのキャラクターを意味する。ここで、「表示自体が意味を持つ」とは、日本語、英語、数字等を示す。前記特殊コードとしては、例えば下記の例が挙げられる。
【００１０】
・バーコード
・２次元バーコード：具体的には、図５に示すようなスタック形二次元コード、あるいは図６に示すようなマトリックス形二次元コード（ＣＰＣＣｏｄｅ）等。
・ドット表示：例えば、後述する図２
・「ａ」，「ｂ」，「ｃ」…例えば、「ａ」＝１，「ｂ」＝２，「ｃ」＝…
・「１」，「２」，「３」…例えば、「１」＝日本，「２」＝韓国，…
・「−」，「｜」，「／」…例えば「−」＝１９９０年，「｜」＝１９９１年，「／」＝１９９２年
【００１１】
【発明の実施の形態】
以下、本発明の各実施例に係る特殊コードが表示された半導体製品について図面を参照して説明する。
【００１２】
（実施例１）
図１及び図２を参照する。ここで、図１は本実施例１に係る半導体製品の平面図、図２は図１の半導体製品の表示に使用された特殊コードの説明図を示す。  図１中の符番１１は半導体製品としてのダイオードを示す。この半導体製品１１の製品本体１２の主面には、「Ｇ」を示すキャラクターとしての文字１３が表示されているとともに、キャラクターとしての「１」を示す数字１４が表示されている。ここで、文字１３は汎用製品を示し、「Ｇ１」は製品名を示している。なお、製品本体１２の形状は、例えば２．６ｍｍ（横）×１．６ｍｍ（縦）である。更に、前記製品本体１２の主面には、図２に示す特殊コードとしての二次元コード１５が例えば印刷により表示されている。ここで、二次元コード１５は、図４におけるカソードバンドに対応するものである。
【００１３】
前記二次元コード１５は、図２に示すように、コードサイズはＬ字型のフルｄｏｔ部を含み、９×５ｄｏｔになっている。また、表示は、○部を１セルとし、１セル＝１文字（４ｂｉｔのバイナリ表示（０〜Ｆ））でＴｏｔａｌ：８文字を表示している。図２のコードは、’１２３４５６７８’を表している。更に、前記二次元コード１５は、製造日等が（９×５ｄｏｔ）の８桁の表示で判るようになっており、８桁の数字を自動発番しこれを表示する事により８桁の数字で製造設備、製造日等が判るようになっている。
【００１４】
このように、実施例１に係る半導体製品１１は、製品本体１２にあらゆるキャラクターの少なくとも一部を二次元コード１５を用いて表示し、製品本体１２に情報をもたせることにより、１キャラクターに複数の情報をもたせることができる。従って、従来の半導体製品と同キャラクター数での情報量を増やし、これにより表示キャラクターを減少させて印字時間を削減できるか、あるいは表示情報量を増加させてロットトレーサービリティを向上することができる。
【００１５】
なお、上記実施例１では、キャラクターの一部を二次元コード（特殊コード）で表示する場合について述べたが、これに限らず、他のキャラクターも特殊コードで表示してもよい。
【００１６】
また、上記実施例１では、半導体製品がダイオードである場合について述べたが、これに限らず、ＩＣ等の全ての半導体製品に適用できる。また、半導体製品のみならず、製品表面に何らかの方法でマーキングを行う全ての工業製品に適用することもできる。
【００１７】
（実施例２）
図３（Ａ），（Ｂ）を参照する。ここで、図３（Ａ）は本実施例２に係る半導体製品の本体部分の説明図、図３（Ｂ）は図３（Ａ）の特殊コードの説明図を示す。本実施例２は、「Ｔ」という文字に似たロゴマーク１６の一部を二次元コード（特殊コード）１７にした例を示している。
実施例２によれば、実施例１と同様、従来の半導体製品と同キャラクター数での情報量を増やし、これにより表示キャラクターを減少させて印字時間を削減できるか、あるいは表示情報量を増加させてロットトレーサービリティを向上することができる。
【００１８】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合せてもよい。
【００１９】
【発明の効果】
以上詳述したように本発明によれば、製品本体にあらゆるキャラクターの少なくとも一部を特殊コードを用いて表示し、製品本体に情報をもたせることにより、１キャラクターに複数の情報をもたせることができるため、同キャラクター数での情報量が増え、これにより表示キャラクターを減少させて印字時間を削減できるか、あるいは表示情報量を増加させてロットトレーサービリティを向上できる特殊コードが表示された半導体製品を提供できる。
【図面の簡単な説明】
【図１】本発明の実施例１に係る特殊コードが表示された半導体製品の説明図。
【図２】図１の半導体製品の表示に使用された特殊コードの説明図。
【図３】本発明の実施例２に係る特殊コードが表示された半導体製品の説明図。
【図４】従来の半導体製品の説明図。
【図５】代表的なスタック形二次元コードの説明図。
【図６】代表的なマトリックス形二次元コードの説明図。
【符号の説明】
１１…半導体製品（ダイオード）、        １２…製品本体、
１３…文字、                            １４…数字、
１５，１７…二次元コード（特殊コード）、１６…ロゴマーク（特殊コード）。
【図１】
2004319639.tif 000003
【図２】
2004319639.tif 000004
【図３】
2004319639.tif 000005
【図４】
2004319639.tif 000006
【図５】
2004319639.tif 000007
【図６】
2004319639.tif 000008